(57)【特許請求の範囲】
【請求項１】
パーソナルコンピュータによりユルキャラを含む多種，多様の着ぐるみの１立体像をデザインするとともにその部分別の立体採寸データを出力し、該データを用いて部分別の型紙を作成し、該型紙に合わせて樹脂発泡体等による部分別の裁断片を作り、該裁断片を出力する立体デザインどおりに曲げ接合して長時間の着用を可能とする軽い着ぐるみ本体を制作し、その外表に表装材を装着して着ぐるみを制作するようにしたことを特徴とする着ぐるみ。
【請求項２】
裁断片はＥＶＡ発泡体または同効の材料である請求項１に記載の着ぐるみ。
【請求項３】
型紙の反複使用により着ぐるみを２体以上の多数において制作する請求項１または２に記載の着ぐるみ。
【請求項４】
表装体に文字，図形などの広告をつける請求項１乃至３のいずれかに記載の着ぐるみ。
【発明の詳細な説明】
【技術分野】
【０００１】
この発明は、各種，多様な着ぐるみを素早く能率よく制作するようにしたことに関するものである。
【背景技術】
【０００２】
この種の着ぐるみの一例として実開平５−３３７８１号公報がある。該公報は送風器によって着ぐるみ内に外気を送気して涼しく着用することができるようにしたことを記載している。
【０００３】
しかしながら、着ぐるみの多くは発泡スチロール等の立方体を電熱線などを用いて荒削りした後、サンドペーパーなどにて磨いて着ぐるみの原型を作り、この原型に暖めたポリエチレン片を順次並べるなどして押し当て、その冷却を待ってポリエチレン片を剥がしとって、並べつなぎして中空の着ぐるみ本体を作りその外表に着色等した綿入り布などを縫着して着ぐるみを制作するようにしている。
【先行技術文献】
【特許文献】
【０００４】
【特許文献１】実開平５−３３７８１号公報
【発明の概要】
【発明が解決しようとする課題】
【０００５】
このようにして制作される着ぐるみは原型の作りに高度の熟練と多くの日時を要すことで、着ぐるみの制作の着手から完成までの期間が長くなって予定した納期に納めることができないという課題がしばしば生じている。
【０００６】
また、削り加工にてなる着ぐるみの原型は、欠け，割れなどの損傷が生じやすいことで反複使用することができず、従って一体の原型からは多数の着ぐるみを制作することができないという課題がある。このようにして着ぐるみの制作コストは著しく高価になっているという課題がある。
【０００７】
さらに着ぐるみ本体を形成するポリエチレン片は硬く後加工が難しいため、制作した着ぐるみに眼孔，通気穴などを設けることが容易でないという課題があり、制作した着ぐるみが重いことで着用者に苦痛を与えているという課題がある。
【課題を解決するための手段】
【０００８】
本発明はパーソナルコンピュータにより制作しようとする着ぐるみのデザインと該デザインの部分別の採寸データを出力し、該採寸データにより作成する部分別の型紙と、該各型紙に合わせて裁断する合成樹脂発泡体の裁断片と、該各裁断片を出力する着ぐるみデザインどおりに折り接合して着ぐるみ本体を形成し、着ぐるみ本体の外表に表装材を装着してもって着ぐるみを制作する。パーソナルコンピュータの画像処理機能と解析，計算，計測機能を用いて、着ぐるみの部分別の型紙を作り、型紙に合わせて裁断片を得ることで、軽く着用しやすい着ぐるみを熟練を要せずして素早く能率よく制作し得るようにして、かかる課題を解決したのである。
【発明の効果】
【０００９】
本発明はパーソナルコンピュータにより制作しようとする着ぐるみの立体デザインと、採寸データを出力し、これに基づいて着ぐるみの部分別の型紙と裁断片が得られるようにしたので、着ぐるみは熟練を要せずして素早く能率よく制作することが可能になるという効果を生ずる。
【００１０】
型紙は反複使用することが可能なため、同一の型紙にて２体以上の着ぐるみを能率よく制作することができるという効果を生ずる。
【００１１】
着ぐるみ本体をＥＶＡ発泡体または同効の材料にて制作することにより、着ぐるみの制作が容易で穴明けなどの後加工も容易になるという効果を生ずる。
【００１２】
着ぐるみの制作日数が著しく短縮されることで着ぐるみの制作費を大幅にコストダウンすることができ、また納期遅れが生じなくなるという効果を生ずる
【００１３】
着ぐるみが軽く柔らかいことで着用しやすく、着用者の重量負担が和らぎ、輸送，保管等も容易になるという効果を生ずる。
【００１４】
着ぐるみの表装材につける文字，図形などは宣伝効果が抜群に優れるという効果を生ずる。
【図面の簡単な説明】
【００１５】
【図１】パーソナルコンピュータにてデザインして出力した着ぐるみの立体像を示す正面図
【図２】部分別の採寸データの出力図
【図３】（ａ）は採寸データにより形成した型紙の部分別の正面図、（ｂ）は型紙に合わせて裁断した部分別の裁断片の斜視図
【図４】（ａ）は裁断片を折り合わせ接合しつつある状態を示す斜視図、（ｂ）は成形した着ぐるみ本体の斜視図
【図５】表装材を貼りつけて完成した着ぐるみを示す斜視図
【図６】着ぐるみの表装材に広告を附した正面図
【発明を実施するための形態】
【００１６】
本発明はパーソナルコンピュータにてユルキャラを含む多種，多様の着ぐるみの１立体像をデザインするとともにその部分別の立体採寸データを出力して該データを用いて部分別の型紙を作成し、この型紙に合わせて合成樹脂発泡体による部分別の裁断片を作り、これを１立体像のデザイン出力どおりに曲げ加工しつつ接合して着ぐるみ本体を形成し、その外表に表装材を装着して着ぐるみを制作する。
【００１７】
合成樹脂発泡体として本発明はＥＶＡ（ethylene vinyl acetate copolymer／エチレン・酢酸ビニル共重合樹脂）発泡体または同効の材料を採用したのである。この発泡体は軽く、常温にて曲げ，穴明け加工がしやすいという特性がある。
【実施例１】
【００１８】
図１乃至図５は本発明の第１実施例であって、パーソナルコンピュータ１の３Ｄ  ＣＡＤ（Computer Aided Design）システム等を用いて着ぐるみＫの立体像をデザインＤし、図２に示すようにこのデザインＤを各部分別に分解し、頭部ｈ，胴部ｂ，腕部ａ，脚部ｆなどの採寸データＤ１〜Ｄｘにして出力して型紙Ｐ１〜Ｐｘを形成する。この型紙Ｐ１〜Ｐｘを用いて１０〜１５ｍｍ厚の板状にて提供されるＥＶＡ発泡体または同効の材料を用いて裁断片Ｍ１〜Ｍｘを裁断し形成する。次いで図４（ａ）（ｂ）に示すように裁断片Ｍ１〜Ｍｘを出力する立体デザインどおりに曲げ加工などして、隣接順に速乾性のボンド・糊等を用いて接合して着ぐるみ本体Ｋ１を成形し、着ぐるみ本体Ｋ１の外表にキャラクターデザインの表装材Ｓを貼付け，縫合などにより装着して着ぐるみＫを制作するのである。人が中に入って着用することができる着ぐるみＫとなる。
【００１９】
本発明が採用するＥＶＡ発泡体または同効の材料は耐水性、耐湿性，耐酸性、耐アルカリ性などの耐薬品性に優れているほか、従来の着ぐるみの作成に使われているポリエチレンよりもはるかに軽く、柔軟性・弾力性が高く、ソフトな感触で冷温下でも硬くなりにくく、特に常温による曲げ加工特性に優れているという特長を備えている。
【００２０】
型紙Ｐ１〜Ｐｘを当てて型取り裁断したＥＶＡ発泡体または同効の材料の部分別の裁断片Ｍ１〜Ｍｘはその特性によって暖めることなしに曲げ合わせてデザイン出力通りの立体形にて接合し、且つ接合縁面にて保形されることとなる。かくて熟練を要すことなくして着ぐるみ本体Ｋ１は素早く能率よく制作することができることとなる。
なおＥＶＡ発泡体と同効の材料としてはＰＶＣ（polyvinyl chloride＝ポリ塩化ビニル）発泡体，ポリスチレン発泡体，ウレタン発泡体，ポリウレタン樹脂発泡体等がある。
【００２１】
パーソナルコンピュータの出力に基づいて作られる型紙は反複使用することができるので、同一の型紙を用いて多数の裁断片を反複して作成することで着ぐるみ本体Ｋ１は同時に２体以上の多数において能率よく制作することができるようになる。キャラクターの異なる多くの着ぐるみも同様にして多数を素早く制作することができることになる。
【００２２】
なお着ぐるみ本体Ｋ１の内面に裏打ち面を形成して着ぐるみ本体Ｋ１を補強することもある。
【００２３】
以上のようにして制作する着ぐるみＫは、着ぐるみ本体Ｋ１を構成するＥＶＡ発泡体または同効の材料の軽さ，柔軟性によるソフトな感触と、曲げを含む加工特性によって体格の大きい人、中ぐらいの人、小さい人など各別の着用者の体型に合わせて大，小，中に制作することができ、また眼孔，通気穴などの後加工も容易にできることによって視野を広く調整したり、適所に通気穴があることで着用者の負担を軽減し、長時間の着用を可能にすることができるようになる。
【００２４】
このようにしてユルキャラを含む多種，多様の着ぐるみは、従来より著しく軽くなり、軽くなったことでバランスが安定して着用者の安全性が保たれるとともに、着ぐるみと着用者との間で程よい空間ができることで、着用者は着ごこち，歩行性に優れ、喚気の良好により脱水症状，熱中症などのおそれが軽減されることで長時間の着用を可能にすることができる。
【００２５】
また図６に示すように着ぐるみＫの表装材Ｓに広告Ｈを附して、各種の催し，イベントなどに参加させるときは、着ぐるみの人気により広告を会場内外の人々に広く深く浸透させることができることになる。
【産業上の利用可能性】
【００２６】
本発明は、軽く着用しやすい着ぐるみを素早く能率よく制作することで広く利用されるものである。
【符号の説明】
【００２７】
１はパーソナルコンピュータ
Ｄはパーソナルコンピュータによる着ぐるみの立体デザイン
Ｄ１は部分別の立体採寸データ
Ｋは着ぐるみ
Ｋ１は着ぐるみ本体
ｈは頭部
ｂは胴部
ａは腕部
ｆは脚部
Ｓは表装材
Ｈは広告
Ｐ１〜Ｐｘは立体採寸データから作成する部分別の型紙
Ｍ１〜Ｍｘは部分別の裁断片
【要約】
【課題】  本発明は地方・地域のユルキャラ、マスコット、漫画などのヒーロー、人物，動物を模したデザインキャラクターその他多種，多様の着ぐるみを素早く能率よく制作し提供することを課題にしている。
【解決手段】  本発明はパーソナルコンピュータを用いて着ぐるみの部分別の型紙を作り、この型紙に合わせて合成樹脂発泡体等による部分別の裁断片を作り、各裁断片を出力する立体デザインどおりに曲げ接合することで着ぐるみ本体を制作し、その表面に表装材を装着して着ぐるみを制作するようにして、かかる課題を解決する。
【選択図】図４【図１】
0005607212.tif 000002
【図２】
0005607212.tif 000003
【図３】
0005607212.tif 000004
【図４】
0005607212.tif 000005
【図５】
0005607212.tif 000006
【図６】
0005607212.tif 000007